(57)【要約】井戸１００の長さに沿って移動するプランジャ１１０の位置を識別するシステムは、井戸内に設けられ、プランジャ１１０が井戸１００での感知位置に達する時に音響信号を送信するように構成された音響源１６０、１７０を含む。音響受信機１８４は、井戸１００の上端１１６に配置され、音響信号を受信するように構成される。処理回路１８８は、受信された音響信号を処理し、プランジャ１１０が感知位置に達したことを示す出力を提供する。
2015530505.tif 000002
【特許請求の範囲】
【請求項１】
井戸の長さに沿って移動するプランジャの位置を識別するシステムであって、
前記井戸内に設けられ、前記プランジャが前記井戸内の感知位置に達するとき、音響信号を送信するように構成された音響源と、
前記井戸の上端に位置し、前記音響信号を受信するように構成された音響受信機と、
前記受信された音響信号を検出し、前記プランジャが前記感知位置に達したことを示す出力を提供するように構成された処理回路と、
を含むことを特徴とするシステム。
【請求項２】
前記音響源は、前記井戸内の前記感知位置に配置され、前記プランジャは、前記感知位置で前記音響源と接触することによって、前記音響源が前記音響信号を生成するようにすることを特徴とする請求項１に記載のシステム。
【請求項３】
前記プランジャは、前記感知位置で前記音響源を打撃することを特徴とする請求項２に記載のシステム。
【請求項４】
前記音響源は、音具メカニズムを含むことを特徴とする請求項２に記載のシステム。
【請求項５】
前記音響信号は、前記プランジャの移動によるエネルギーで生成されることを特徴とする請求項１に記載のシステム。
【請求項６】
前記井戸は、地表面から前記感知位置まで延びるチューブを含み、前記音響信号は、前記チューブによって伝達されることを特徴とする請求項１に記載のシステム。
【請求項７】
前記音響源は、前記プランジャが前記感知位置に達した時に前記チューブを打撃することを特徴とする請求項６に記載のシステム。
【請求項８】
前記音響源は、前記プランジャに設けられることを特徴とする請求項１に記載のシステム。
【請求項９】
前記処理回路は、雑音に直面して前記音響信号を識別するように構成されることを特徴とする請求項１に記載のシステム。
【請求項１０】
前記処理回路は、学習モードを選択可能に構成され、前記音響信号を識別するように学習することを特徴とする請求項１に記載のシステム。
【請求項１１】
前記処理回路は、前記井戸のモータ弁の動作を制御することを特徴とする請求項１に記載のシステム。
【請求項１２】
前記処理回路は、さらに時間に基づいて前記プランジャが前記感知位置に達することを示す出力を提供することを特徴とする請求項１に記載のシステム。
【請求項１３】
前記感知位置は、前記プランジャが前記井戸の底に達することを表示するように配置されることを特徴とする請求項１に記載のシステム。
【請求項１４】
前記感知位置は、前記井戸内の水位で前記プランジャを示すように配置されることを特徴とする請求項１に記載のシステム。
【請求項１５】
前記音響源は、電気回路を含むことを特徴とする請求項１に記載のシステム。
【請求項１６】
井戸において、該井戸の長さに沿って移動するプランジャの位置を識別するための方法であって、
前記プランジャが前記井戸内で移動できるようにし、
前記プランジャが前記井戸内で感知位置に達するとき、前記感知位置に配置された音響源から音響信号を提供し、
前記井戸の上端で前記音響信号を受信し、
前記受信された音響信号に基づいて前記プランジャの位置を判定する
ことを含むことを特徴とする方法。
【請求項１７】
前記音響源は、前記井戸内の前記感知位置に配置され、前記感知位置で前記プランジャと前記音響源を接触することによって、前記音響源が前記音響信号を生成するようにすることを特徴とする請求項１６に記載の方法。
【請求項１８】
前記プランジャは、前記感知位置で前記音響源を打撃することを特徴とする請求項１７に記載の方法。
【請求項１９】
前記音響源は、音具メカニズムを含むことを特徴とする請求項１８に記載の方法。
【請求項２０】
前記プランジャの移動によるエネルギーで前記音響信号を生成することを含むことを特徴とする請求項１６に記載の方法。
【請求項２１】
前記井戸は、前記地表面から前記感知位置まで延びるチューブを含み、前記チューブを通して前記音響信号を伝達することを含むことを特徴とする請求項１６に記載の方法。
【請求項２２】
前記音響源は、前記プランジャが前記感知位置に達する時に前記チューブを打撃することを特徴とする請求項２１に記載の方法。
【請求項２３】
前記音響源は、前記プランジャに設けられることを特徴とする請求項１６に記載の方法。
【請求項２４】
雑音に直面して前記音響信号を識別することを含むことを特徴とする請求項１６に記載の方法。
【請求項２５】
学習モードを選択することによって、前記音響信号を識別するように学習することを含むことを特徴とする請求項１６に記載の方法。
【請求項２６】
前記井戸のモータ弁の動作を制御することを含むことを特徴とする請求項１６に記載の方法。
【請求項２７】
さらに時間に基づいて位置を判定することを含むことを特徴とする請求項１６に記載の方法。
【請求項２８】
前記感知位置は、前記井戸の底に近接した位置を含むことを特徴とする請求項１６に記載の方法。
【請求項２９】
前記感知位置は、前記井戸内の水位に近接した位置を含むことを特徴とする請求項１６に記載の方法。
【発明の詳細な説明】
【技術分野】
【０００１】
本発明は、天然ガス井戸などから液体を除去するのに用いられるタイプのプランジャに関する。特に、本発明は、井戸の長さに沿って移動するプランジャの位置を識別するシステム及び方法に関する。
【背景技術】
【０００２】
深い井戸は、地中からガス及び液体を抽出するのに用いられる。例えば、このような井戸は、地下ガスポケットから天然ガスを抽出するのに用いられる。この井戸は、地面に穴を開けて形成されたホールに置かれる長いチューブを含む。この井戸が天然ガスのポケットに達するとき、ガスが地表面に抽出され得る。
【０００３】
天然ガス井戸が古くなるにつれ、水のような液体が井戸の底に溜まるようになる傾向にある。この水は動きが遅く、結果的に天然ガスが地表面に出てくることを妨害する。井戸の寿命を延長させるのに用いられた一つの技術として、井戸の底から液体を除去するのに用いられるプランジャ基盤リフトシステムがある。井戸内のプランジャの位置は、井戸の上部にある弁を開閉することによって制御される。弁が閉められると、井戸からのガスの流れは停止し、プランジャは水を通過して井戸の底にまで下降する。プランジャが井戸の底に達するとき、弁が開けられ、これによって井戸内からの圧力がプランジャを地表面にまで押し上げるようになる。プランジャが上昇するにつれて、プランジャ上にある液体を地表面にまで持ち上げ、これによって井戸からほとんどの液体を除去することとなる。
【０００４】
効率的にプランジャを作動するために、いつプランジャが井戸の底に達するのかを識別することが好ましい。いつプランジャが井戸の底に達するのかを判定するのに各種の技術が用いられてきたが、例えば、Ｇｉａｃｏｍｉｎｏにより「油及びガス井戸で指標として下降時間と共に圧力特性を利用する方法及び装置」という名称で２０１１年６月２１日付で登録された米国特許番号７，９６３，３２６は、一つの技術を説明している。
【先行技術文献】
【特許文献】
【０００５】
【特許文献１】米国特許番号７，９６３，３２６
【発明の概要】
【課題を解決するための手段】
【０００６】
井戸の長さに沿って移動するプランジャの位置を識別するシステムは、プランジャが井戸内の感知位置に達するとき、音響信号を送信するように構成され、井戸内で伝達される音響源を含む。音響受信機は、井戸の上端に位置し、音響信号を受信するように構成され、音響信号処理回路は、受信された音響信号を処理し、プランジャが感知位置に達することを示す出力を提供する。
【図面の簡単な説明】
【０００７】
【図１】本発明に係るプランジャの位置を識別するシステムを用いた井戸の概略図である。
【図２】本発明の一実施例に係る音響源を示す図１の井戸の下部断面説明図である。
【図３】本発明の他の実施例に係る音響源を示す図１の井戸の下部断面説明図である。
【図４】音響源によって生成された音響信号を検出するために用いられる回路を示す概略ブロック図である。
【図５】井戸のプランジャによって生成された音響信号の振幅対時間のグラフである。
【発明を実施するための形態】
【０００８】
本発明は、このような天然ガス井戸などのような井戸の長さに沿ってプランジャが移動するとき、プランジャの位置を識別するシステムを提供する。より具体的には、本発明によると、音響源は、井戸内に設けられ、プランジャが感知位置に達する時に井戸内の感知位置から音響信号を伝送するように構成される。音響信号は、音響受信機により受信され、プランジャが感知位置に達したことを判定するのに用いられる。一つの構成例として、音響源は、感知位置に配置される。プランジャが感知位置に達すると、プランジャが音響源を打撃して音響源が振動するようにし、これによって音響信号が生成される。音響信号は、井戸のパイプに連結され得、パイプは、音響信号を地表面に伝達するのに利用され得る。他の構成において、プランジャは、感知位置にある物体を打撃するか、またはプランジャが感知位置に達するとき、井戸配管を打撃するのに用いられる「音具」を持っていてもよい。一般に、感知位置は、井戸の底または底の近くに位置する。
【０００９】
天然ガス井戸は、初めて作動を開始すると、ガスは、通常、貯蔵所に一般に存在する高圧に助けられて、地下から地表にまで自由に流れる。しかし、井戸の寿命が進む間、水は、ガス井戸の底に流れ始める。貯蔵所圧力の減少による水柱の結果的な背圧は、天然ガスの流れを遅くし、最後には、完全に止まるようにする。
【００１０】
この問題に対する一つの解決策は、井戸を遮断（井戸ヘッドにある弁を閉鎖）して貯蔵所の圧力を再び構築することである。圧力が十分に構築されるとき、弁は再び開けられ、構築された圧力は、水を上部に押し上げる。しかし、この方法の短所は、多量の水が井戸の底にまた落ちて、結局、井戸は、多くのさらなるガス生産を得ることができないということである。
【００１１】
さらに好ましい解決策、および最も一般的にガス井戸で用いられるものは、プランジャを使用して、井戸の外に水を持ち上げるというものである。図１は、プランジャリフトシステムを備えた典型的なガス井戸１００を示した図である。プランジャ１１０は、井戸１００の中央チューブ１１２とほぼ同一の直径を有するデバイスであり、井戸で自由に上下に移動する。モータ弁１２０は、後述するように、井戸を開閉するのに用いられ、これによってプランジャ１１０が井戸の上端１１６または底１１８に運行する。井戸の底１１８には、バンパースプリング１２４があり、このバンパースプリング１２４は、プランジャ１１０が底１１８を打撃する時にプランジャ１１０が損傷することを防止する。井戸ヘッドには、キャッチャー及び到達センサ１３０があり、キャッチャー及び到達センサ１３０は、プランジャ１００が井戸の上端１１６に達した時にプランジャ１１０を捕捉し、プランジャ１１０の到達を示す電気信号を生成する。キャッチャー上には、給油装置１４０があり、給油装置１４０は、プランジャ１１０に油または他の潤滑油を供給し、チューブを通して自由に移動できるようにする。電気制御装置１４４は、入手可能な測定信号（例えば、チューブの圧力とプランジャの到着）を受信することにより、また適切な時間にモータ弁１２０に開閉命令を伝送することにより井戸を操作する。
【００１２】
井戸の流体生産物を地表面にまで持ち上げるのに用いられるプランジャアッセンブリは、非常に長いストロークを伴うポンプとして動作する。プランジャ１１０は、流体柱とリフティングガスとの間で固体インターフェースとして働くように設計されている。プランジャ１１０が運行するとき、プランジャ１００を横切って圧力差が存在するが、これは、任意の流体の下降を抑制する。従って、地表面に運搬される量は、本来の負荷と事実上等しくなる。プランジャ１１０は、底１１８から上端１１６へ運行しながら掃除道具の役割をして一連のチューブで液体を除去する。利用可能な多くの類型のプランジャがある。
【００１３】
プランジャ１１０そのものは、様々な形態を取ることができる。一部のプランジャは、上方向ストロークに対する圧力差を生成するために、井戸のチューブ壁に対して密封したブレードを延ばして取り付けられたスプリングを含む。他の類型のプランジャは、密封を得るために、ラビリンスリングを備えたプランジャ、プランジャがより速く下降できるように内部バイパスを備えたプランジャなどを含む。
【００１４】
ガス生産者は、数千個の井戸を操作することがあるため、ある与えられた井戸での計測及び制御は、一般的に非常に小さなことに過ぎない。ある場合には、井戸でなされ得る唯一の測定は、二つの絶対圧力送信機でなされ得るが、一つはチューブ圧力（プランジャが下降し、ガスが正常に流れる中央チューブ）を測定するものであり、もう一つは、ケーシング圧力（または環帯ともいう−チューブを含む外側空間）を測定するものである。モータ弁１２０は、開閉されることで、プランジャ１１０が井戸１００の底１１８に下降するか、または上端１１６に上がるようにプランジャ１１０を制御し、しばしばプログラマブルロジックコントローラ（ＰＬＣ）または遠隔操作コンソール（ＲＯＣ）という電気制御装置１４４を制御する。電気制御装置１４４は、入手可能な測定信号を受信し、井戸を最適な動作に維持するために、適切な時間にモータ弁１２０を開閉する。一部の構成では、（いつプランジャが井戸ヘッドに達したのかを感知する）プランジャ到達センサ、温度測定センサや流量センサがあってもよい。このような測定のいずれもが存在し、これらはいずれも井戸の上端でなされる測定である。井戸の内部または底では、通常、永続的な計測または測定は行われない。従って、制御装置１４４は、単に井戸ヘッドでのこれらの測定に基づいてプランジャサイクル制御を行う必要がある。
【００１５】
プランジャリフトによるガス制御の重要な側面の一つは、井戸が適当な時間の間、閉められていなければならないということである。具体的には、プランジャが底に達するために、十分に長い時間の間、井戸が遮断されなければならない。プランジャが底に終始置かれていなければ、モータ弁が開けられるとき、全ての水が除去されず、井戸は、最適な生産に戻らない。このことが発生すると、プランジャが下降してから戻るまでにかかる時間（３０分以上となり得る）が無駄になる。さらに重要な側面は、プランジャが任意の水に接触する前にモータ弁が開けられると、水なしに、プランジャがゆっくりと下降し、上昇するプランジャの速度が非常に大きくなって（井戸内で大きな圧力が発生）、プランジャまたは給油機／キャッチャーを損傷するか、または井戸ヘッドからキャッチャーを完全に落とし得る。
【００１６】
プランジャが過度に早く戻っても危険であるため、最も良い制御戦略は、内蔵された「安全因子（ｓａｆｅｔｙ  ｆａｃｔｏｒ）」を備えることである。これらは、単にプランジャが底にきちんと当たっているようにするために、プランジャが底に達するに十分な時間に一部の追加時間を加えた時間の間、十分に長く井戸を閉める。ここでの短所は、プランジャが底にある時間は、ガス井戸が生産しない時間となるということである。プランジャが底に位置しなければならない時間が長くなるほど、ガス井戸が全体生産に復帰する前の状態である時間も長くなる。
【００１７】
いつプランジャが井戸の底に達するのかを検出するために、様々な技術が採用される。例えば、圧力及び音響信号を監視できるが、これらの信号は、しばしば背景雑音の量、井戸の拡張された長さ、及び井戸内で液体及びガスを通って流れる時の信号損失に起因し、小さいか、または識別が困難となることがある。このような一つの技術が、プロダクション制御サービス会社が権利を持っており、「油及びガス井戸で指標として下降時間と共に圧力特性を利用する方法及び装置」という名称で２０１１年６月２１日に発行された米国特許番号７，９６３，３２６に開示されている。
【００１８】
図２は、本発明の一実施例に係る井戸１００の下部の断面図である。図２において、プランジャ１１０は、チューブ１１２内で井戸１００の底１１８に向かって下に動くものと示されている。音響源１６０は、井戸１００の底１１８に配置されている。音響源１６０は、ベルなどと同様に動作する。プランジャ１１０の下部１６４は、音響源１６０を打撃するように配列され、これによって音響源が振動する。一つの構成例として、音響源１６０は、プランジャ１１０が音響源１６０を打撃した時に作動される「音具」メカニズムなどを含む。プランジャ１１０が音響源１６０を打撃したとき、音響信号が生成されて井戸１００の上端１１６に向かって伝播される。この音響信号は、任意の適切な媒体を用いて地表面に向かって伝達され得る。しかし、井戸１００のチューブ１１２は、特に、音響信号を伝達するに適している。音響信号が井戸１００の上端１１６に達したとき、その信号を検出するのに用いられ得、また井戸の底にプランジャ１１０が達したという表示を提供できる回路（以下、詳細に後述する）が利用され得、これは、図１に示されたモータ弁１２０を開口することによって回復できる。図３は、本発明の他の例示的な実施例を示す井戸１００の下部の断面図を示した図である。図３において、音響源１７０は、プランジャ１１０に設けられている。プランジャ１１０が井戸１００の底１１８に達すると、音響源の突起１７４が突起１７２を打撃し、これによって音響源１７０がヒンジポイント１７６を中心にピボットするように動く。この動作は、遠位端部１７８がチューブ１１２を打撃し、これによって音響信号がチューブ１１２で発生し、後続検出のために地表面に進行する。他の例示的な実施例において、類似音響源が、井戸１００の底１１８に配置され、チューブ１１２を打撃するように構成されるか、それとも音響信号をチューブ１１２に誘導するように構成される。
【００１９】
図４は、地表面に位置し、かつ井戸１００に連結された検出回路１８２を示す概略ブロックである。検出回路１８２は、プランジャ１１０が井戸１００の底に達する時に生成される音響信号を感知するように構成された井戸１００の上端１１６にある音響受信機またはセンサ１８４を含む。図４において、音響受信機１８４は、パイプ１１２に連結されているものと示されている。このような構成において、パイプ１１２によって伝達される音響信号は、受信機１８４によってさらに効率的に受信され得る。受信機１８４からの出力は、例えば、アナログ増幅器及び／又はフィルタを含むことのできるセンサ回路１８６に提供される。一つの構成例として、センサ回路１８６は、受信されたアナログ信号を代表するデジタル信号出力を提供するアナログ／デジタル変換器を含む。処理回路１８８は、感知回路１８６から信号を受信する。処理回路１８８は、アナログまたはデジタル回路を含むことができる。デジタル回路が用いられる場合、これは、メモリ１９０に格納された命令によって動作するマイクロプロセッサを含むことができる。例えば、受信された音響信号は、メモリ１９０に格納された波形と比較されるか、またはメモリ１９０に格納された規則に基づいて検出され得る。他の例示的な実施例において、処理回路１８８は、感知回路１８６からの信号を一つ以上の臨界値と比較して出力回路１９２に出力を確実に提供するアナログ回路を含むことができる。例えば、バンドパスフィルタは、狭い周波数範囲の信号のみ処理回路１８８に提供されるように感知回路１８６で具現され得る。これは、プランジャ１１０が井戸１００の底に達したとの誤った判断を招き得る他のソースから雑音を除去するのに用いられ得る。
【００２０】
デジタル回路に具現されるとき、処理回路１８８は、ユーザによりプログラムされてもよく、学習機能を含むことができる。例えば、プロセッサは、プランジャ１１０が井戸１００の底に達するとき、音響信号を受信する学習モードに置かれ得る。学習モードの間に受信されたこの受信音響信号に関連した情報は、メモリに格納され得、プランジャの位置を順次に検出するのに用いられ得る。他の実施例において、検出回路１８２は、図１に示されたモータ弁１２０が閉められてプランジャ１１０が井戸１００の下に下降していることを示した時と関連した情報を受信することができる。この情報は、検出シーケンスを初期化するのに用いられ得、処理回路１８８が、プランジャ１００が井戸１００の底に達する時にプランジャ１１０から音響信号を検出するために感知回路１８６からの出力を監視するようにする。この情報はまた、プランジャ１１０の位置を誤って識別することを減らすことを助けるのに用いられ得る。例えば、モータ弁が閉められた時にタイマーが開始され得、これによって、処理回路は、プランジャ１１０が井戸１００の底に達したということを検出する前に少なくとも任意の時間の間、待機しなければならない。同様に、任意の時間より大きな時間周期が経った場合、処理回路１８８は、音響信号が検出されていない場合にも、プランジャ１１０が井戸１００の底に達したことを示す出力を提供することができる。これは、音響信号が正確に検出され得ない状況でも井戸１００内の流体が抽出され得るようにする。
【００２１】
図５は、受信された音響信号を示す振幅対時間のグラフである。プランジャ１１０が井戸１００の底に達するとき、音響源に起因した音響信号は、受信された信号で大きな突起を引き起こす。この突起は、プランジャ１１０の位置を検出するために用いられ得、好ましくは、プランジャが井戸１００内の水を打撃する時に受信される信号のような他の受信信号よりかなり大きいか、または周波数が異なる。
【００２２】
音響信号は、任意の適切な技術を用いて処理され得る。例えば、簡単な閾値の比較だけでなく、一つまたはそれ以上の受信された信号の周波数を監視することを含むさらに複雑な技術が含まれる。さらに一層複雑な技術としては、井戸の底に達したプランジャの反射信号特性の特定の特徴を観察することが含まれる。検出技術は、適切なアナログ及び／又はデジタル回路で具現され得る。井戸の底に達したプランジャの検出は、いくつかの場合に、井戸の深さが増加するに伴い調整される必要がある。同様の調整が、井戸を囲む材料、井戸内の材料、用いられる特定の井戸チューブ及びその構成に基づいてなされ得る。図４を参照すると、出力回路１９２がモータ弁１２０を制御するのに用いる出力を提供することができる。検出回路１８２は、図１に示した電気制御装置１４４内に具現され得るか、またはプランジャ１１０が井戸の底に達したことを示す出力信号を電気制御装置１４４に提供する別途の回路となり得る。また、検出回路は、さらなる入力／出力回路２００を含むことができる。例えば、さらなる回路は、プランジャ１１０の状態を示すローカル出力を運営者に提供するのに用いられるか、または運営者からの命令または質疑を受信するのに用いられ得る。他の例示的な実施例において、出力は遠隔位置に提供され得る。例えば、情報は、プランジャ１１０の位置に関連した中央位置に対して提供され得る。この情報は、通常のパラメータ内で井戸１００が作動することを明確にするための診断の目的で用いられ得る。この出力は、有線通信リンクを通して提供され得、または無線周波数通信技術のような無線技術を用いて提供され得る。
【００２３】
本発明は、好ましい実施例を参照して説明したが、当該分野における通常の技術者であれば、本発明の趣旨及び範疇を外れずに形態及び細部事項において変更が行われ得るということを認識するだろう。例えば、音響源は、本明細書において説明された特定の実施例に限定されず、プランジャが井戸内の特定の位置に達した時に音響信号を提供する任意の音響源となり得る。底の位置が具体的に説明されてはいるが、本発明は、このような構成に制限されない。特定の一実施例において、音響信号は、プランジャが井戸で下降する時のプランジャからのエネルギーを利用して生成される。しかし、いくつかの構成においては、電気回路または他の構成要素に電力が供給され得る他のエネルギー源を提供することが好ましい場合もある。プランジャ井戸内の特定の位置に達するとき、例えば、プランジャは、音響出力を提供するように構成された回路を有してもよい。省エネ技術は、井戸内で電池などを充電するために利用され得る。例えば、プランジャが井戸内で上昇及び下降するにつれて生成されるエネルギーは、回収されるか、または電池を充電するのに用いられ得る。本願において用いられた用語「感知位置」は、プランジャ位置が、音響源が音響信号を生成できるようにする位置をいう。一つの構成例として、音響源は機械的メカニズムを含み、音響信号のみ機械的エネルギーを利用して生成される。
【符号の説明】
【００２４】
１００…ガス井戸、  １１０…プランジャ、  １１２…中央チューブ、  １１６…上端、  １１８…底、  １２０…モータ弁、  １３０…到達センサ、  １４４…電気制御装置、  １６０…音響源、  １７０…音響源、  １８２…検出回路、  １８４…音響受信機、  １８６…センサ回路、  １８８…処理回路、  １９２…出力回路。
【図１】
2015530505.tif 000003
【図２】
2015530505.tif 000004
【図３】
2015530505.tif 000005
【図４】
2015530505.tif 000006
【図５】
2015530505.tif 000007
【手続補正書】
【提出日】平成27年7月31日(2015.7.31)
【手続補正１】
【補正対象書類名】特許請求の範囲
【補正対象項目名】全文
【補正方法】変更
【補正の内容】
【特許請求の範囲】
【請求項１】
井戸の長さに沿って移動するプランジャの位置を識別するシステムであって、
前記井戸内に設けられ、前記プランジャが前記井戸内の感知位置に達するとき、音響信号を送信するように構成された音響源と、
前記井戸の上端に位置し、前記音響信号を受信するように構成された音響受信機と、
前記受信された音響信号を検出し、前記プランジャが前記感知位置に達したことを示す出力を提供するように構成された処理回路と、
を含むことを特徴とするシステム。
【請求項２】
前記音響源は、前記井戸内の前記感知位置に配置され、前記プランジャは、前記感知位置で前記音響源と接触することによって、前記音響源が前記音響信号を生成するようにすることを特徴とする請求項１に記載のシステム。
【請求項３】
前記プランジャは、前記感知位置で前記音響源を打撃することを特徴とする請求項２に記載のシステム。
【請求項４】
前記音響源は、音具メカニズムを含むことを特徴とする請求項２に記載のシステム。
【請求項５】
前記音響信号は、前記プランジャの移動によるエネルギーで生成されることを特徴とする請求項１に記載のシステム。
【請求項６】
前記井戸は、地表面から前記感知位置まで延びるチューブを含み、前記音響信号は、前記チューブによって伝達されることを特徴とする請求項１に記載のシステム。
【請求項７】
前記音響源は、前記プランジャが前記感知位置に達した時に前記チューブを打撃することを特徴とする請求項６に記載のシステム。
【請求項８】
前記音響源は、前記プランジャに設けられることを特徴とする請求項１に記載のシステム。
【請求項９】
前記処理回路は、雑音に直面して前記音響信号を識別するように構成されることを特徴とする請求項１に記載のシステム。
【請求項１０】
前記処理回路は、学習モードを選択可能に構成され、前記音響信号を識別するように学習することを特徴とする請求項１に記載のシステム。
【請求項１１】
前記処理回路は、前記井戸のモータ弁の動作を制御することを特徴とする請求項１に記載のシステム。
【請求項１２】
前記処理回路は、さらに時間に基づいて前記プランジャが前記感知位置に達することを示す出力を提供することを特徴とする請求項１に記載のシステム。
【請求項１３】
前記感知位置は、前記プランジャが前記井戸の底に達することを表示するように配置されることを特徴とする請求項１に記載のシステム。
【請求項１４】
前記感知位置は、前記井戸内の水位で前記プランジャを示すように配置されることを特徴とする請求項１に記載のシステム。
【請求項１５】
井戸において、該井戸の長さに沿って移動するプランジャの位置を識別するための方法であって、
前記プランジャが前記井戸内で移動できるようにし、
前記プランジャが前記井戸内で感知位置に達するとき、前記感知位置に配置された音響源から音響信号を提供し、
前記井戸の上端で前記音響信号を受信し、
前記受信された音響信号に基づいて前記プランジャの位置を判定する
ことを含むことを特徴とする方法。
【国際調査報告】
2015530505.tif 000008